(57)【要約】【課題】メタン発酵の消化残留物を乾燥させる工程において、余剰蒸気を利用し、脱、省エネルギー化を図る装置おうおび方法を提案する。【解決の手段】有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させ、液相脱臭処置に送り脱臭する消化残物の無臭乾燥装置および方法。【選択図】図１
2004033869.tif 000002
【特許請求の範囲】
【請求項１】
有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させた消化残物の無臭乾燥装置。
【請求項２】
請求項１のうち、該蒸発釜を取り囲むジャケット内で凝結した臭気物質含有水を液相脱臭処置に送り脱臭する消化残物の無臭乾燥装置。
【請求項３】
有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させ有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させ、該蒸発釜を取り囲むジャケット内で凝結した臭気物質含有水を液相脱臭処置に送り脱臭する消化残物の無臭乾燥装方法。
【発明の詳細な説明】
【０００１】
【発明の属する技術分野】
本発明は主に有機性廃棄物をメタン発酵させる時に生成される消化残物を乾燥させる装置および方法に関する。
【０００２】
【従来の技術】
メタン発酵は、有機物の分解処理技術の一技術分野である。メタン発酵は、嫌気状態で有機物を嫌気性細菌の作用でメタンや炭酸ガスに還元分解する技術であり、食品や畜産廃棄物等の有機廃棄物の処理方法として長い歴史を有している。この処理法は、好気性処理に比べ、所要の動力が少なく、回収したメタンガスを燃料として利用できるほか、余剰汚泥発生率が少ないことが特徴である。
【０００３】
反面、メタン発酵は、処理に時間がかかること、ＣＯＤ除去率も７０〜８０％と低いこと、硫化水素やアンモニア等の臭気を発すること、運転が不安定である等の問題点もある。
【０００４】
前述のように、メタン発酵は回収したメタンガスを燃料として利用できるので、回収したメタンガスを有効利用する特許は多い。例えば、特開平８−１１９８等は発生したメタンガスを発酵の熱源として利用することを提唱している。また、特開平昭５８−１９３７９４は消化残留物の乾燥中に生じた蒸気を乾燥のためのエネルギーとして再利用することも提案している。
【０００５】
また、消化残留物を乾燥してコンポストにする技術に関しては、特公昭５５−５９９６、特開平１０−１１８６０７で、フラッシュ蒸発してからコンポストにする技術に関しては、特開昭５４−１２４５５５、特開昭５８−１３９７９４、特開昭５８−１７７２００、特開２００１−３００４８１等で提案されている。
【０００６】
【発明が解決しようとする課題】
メタン発酵の技術で消化残留物を乾燥させる技術に関しては、消化残留物の乾燥の省エネルギー化や有効利用に関する特許は多いが、積極的に脱臭を行う技術提案はなかった。
よって、本発明は、メタン発酵技術の欠点である臭気を脱臭する技術を提案するものである。
【０００７】
【発明が解決するための手段】
請求項１は有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させた消化残物の無臭乾燥装置である。
【０００８】
メタン発酵装置においては、消化残留物の乾燥時の臭気がもっとも強いが、臭気の原因物質の主成分は硫化水素やアンモニア等のガスである。本装置は臭気原因物質を蒸気とともに蒸発釜から除去し、加温に用いられる蒸気とエゼクターにより混合し、臭気原因物質を蒸気内に再溶解させことで脱臭を行う。
【０００９】
請求項２は、請求項１のうち、該蒸発釜を取り囲むジャケット内で凝結した臭気物質含有水を液相脱臭処置に送り脱臭する消化残物の無臭乾燥装置である。
【００１０】
この場合、液相脱臭装置とは、電気分解式処理装置、活性汚泥式処理装置、担持体に生物膜を形成した処理装置、腐植土を用いた処理装置、次亜塩素等を添加する化学的処理装置、オゾンによる処理装置、オゾンと紫外線を用いた処理装置、過酸化水素と紫外線を用いた処理装置、過酸化水素とオゾンを用いた処理装置、オゾンと酸化金属等の触媒を用いた処理装置、次亜塩素と酸化金属等の触媒を用いた処理装置、フタロシアニン等の触媒を用いた処理装置等いずれでもよく、かつ一種類の処理方法や複数を組み合わせた処理装置でもよい。さらに、これ等以外の装置であっても、硫化水素やアンモニア等の臭気物質を無臭物質に変換できる処理装置であればよい。
【００１１】
請求項３は、有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させ有機性廃棄物をメタン発酵させる時に生成される消化残物を蒸発釜を取り囲むジャケットに蒸気を送入して加温して乾燥させる方法において、密閉状態にできる蒸発釜からの排気管を該蒸発釜を取り囲むジャケットに蒸気をおくる管にエダクターを介して合流させ、該蒸発釜を取り囲むジャケット内で凝結した臭気物質含有水を液相脱臭処置に送り脱臭する消化残物の無臭乾燥装方法である。
【００１２】
この場合、液相脱臭装置とは、電気分解式処理装置、活性汚泥式処理装置、担持体に生物膜を形成した処理装置、腐植土を用いた処理装置、次亜塩素等を添加する化学的処理装置、オゾンによる処理装置、オゾンと紫外線を用いた処理装置、過酸化水素と紫外線を用いた処理装置、過酸化水素とオゾンを用いた処理装置、オゾンと酸化金属等の触媒を用いた処理装置、次亜塩素と酸化金属等の触媒を用いた処理装置、フタロシアニン等の触媒を用いた処理装置等いずれの方法でもよく、かつ一種類の処理方法や複数を組み合わせた処理方法でもよい。さらに、これ等以外の方法であっても、硫化水素やアンモニア等の臭気物質を無臭物質に変換できる処理方法であればよい。
【００１３】
本発明は、消化残留物を蒸気により、加熱乾燥させる場合に、蒸気とともに発生する臭気を加熱にために使用する蒸気に混入させ、蒸気が凝結後ドレインとともに臭気原因物質を処理する装置または方法に関するものである。
【００１４】
【発明の実施例】
次に本発明を実施例に基づき説明をするが、本発明の実施様態はこれに限定されない。
【００１５】実施様態１
図１に本発明の実施様態の１例をしめした。１は消化残留物流入管、６は蒸発釜であり図示されていないメタン発酵槽より、加温槽１７および連通管１６を経由して送られる消化残留物はここに収容され、蒸発釜６を取り囲むように設置されたジャケット１１に供給される蒸気の顕熱および潜熱により加温される。なお、蒸発釜６で乾燥した消化残留物は図示さてていない回収扉より回収される。蒸発釜６は蒸気および臭気が漏れないよう密閉状態を保てるように設計されている。ジャケット１１への蒸気はボイラー８によって生成されたもので、ボイラー８の燃料は既存の燃料であっても、メタン発酵によって得られたものでもよい。なお、管９はボイラーに水を供給するための管である。該蒸気は連通管３、エジェクター２、連通管管７、三方弁１９を経由してジャケット１１に供給される。ジャケット１１に供給された蒸気は熱を奪われジャケット１１内で凝結しドレインとなり、ドレイン排出弁１２より排出される。
【００１６】
１７は消化残留物が蒸発釜に送られる前に加温する槽であり、加温槽１６を取り囲むように設置されたジャケット１８に供給される蒸気の顕熱および潜熱により加温される。蒸気量は三方弁１９により調節される。ジャケット１８に供給された蒸気は熱を奪われジャケット１８内で凝結しドレインとなり、ドレイン排出弁２０より排出される。
なお、加温槽１７、ジャケット１８、ドレイン排出弁２０等により構成される加温部分は必要に応じて省略してもよく、この場合、三方弁１９も不要である。
【００１７】
一方、蒸発釜６にて生成した蒸気および臭気はバルブ５、管４およびエジェクター２を介して、ボイラー８により生成された蒸気と混合され、ジャケット１１に送られる。バルブ５は、蒸発釜の蒸気圧が低いときは閉じていてもよい。１０は消化残留物蒸発装置全体を示す。
【００１８】
ジャケット１１または１８内に凝結したドレインには悪臭原因物質が溶解し、ドレイン排出弁１２または２０を通じて、電気分解槽１３に供給される。電気分解槽では硫化水素やアンモニアは酸化され、硫酸や硝酸になり無臭化される。この槽で十分分解されなかった有機物は活性汚泥槽１４で分解される。１５は処理水の放流管である。
【００１９】
本装置を用いて、魚および野菜屑のメタン醗酵を行ったところ、蒸発釜での臭気濃度は１，０００万程度、凝結水の臭気濃度は５５万程度であったが、水処理後の水面上の臭気濃度は１０以下であった。
【００２０】
本発明は、余剰蒸気を凝縮するにあたって、蒸発釜や加温槽の加熱にエネルギーを利用するためエネルギーの節約となり、通常の乾燥装置と比較して、エネルギーが約５０％節約できる付加効果も期待できる。
【００２１】
【発明の効果】
以上、本発明を利用すると、異臭を出すことなく有機性廃棄物をメタン発酵させる時に生成される消化残物を乾燥させることができる。また、脱臭に関しては活性炭や消臭剤等を使用しないので産業廃棄物を減容化できる。さらに、本発明では、余剰蒸気を凝縮するにあたって、蒸発釜や加温槽の加熱にエネルギーを利用するためエネルギーの節約となる。
【図面の簡単な説明】
【図１】本発明の実施様態
【符号の説明】
１：消化残留物流入管
２：エジェクター
３：連通管
６：蒸発釜
８：蒸気はボイラー
９：管
１１：ジャケット
１２：ドレイン排出弁
１３：電気分解槽
１４：有機物は活性汚泥槽
１５：処理水の放流管である。
１７：加温槽
１８：ジャケット
１９：三方弁
２０：ドレイン排出弁
【図１】
2004033869.tif 000003